【手続補正書】
【提出日】平成18年3月29日(2006.3.29)
【手続補正１】
【補正対象書類名】明細書
【補正対象項目名】特許請求の範囲
【補正方法】変更
【補正の内容】
【特許請求の範囲】
【請求項１】
外科用器具において、
細長い外側チューブと、
前記外側チューブ内で望遠鏡の筒式に動くことが可能な細長い内側ロッドと、
複数のポーチサポートブレードであって、それぞれが中実の断面を有し、少なくとも二つの前記サポートブレードが、それらの一端において前記内側ロッドの遠位端に取り付けられている、複数のポーチサポートブレードと、
前記サポートブレードに支持され、開口端と閉じ端とを有するポーチと、
を有し、
前記サポートブレードは前記ポーチ内のブレード溝に収容され、前記ブレード溝は前記開口端の周囲近くで少なくとも開口端を部分的に囲むように延在しており、
前記ブレードは、前記複数のブレードの一つが次のブレードの一部と並んで重なって、ほぼ輪の展開形状を有する 器具。
【請求項２】
請求項１に記載の器具において、
前記ブレードが、前記ブレードと前記ポーチを前記外側チューブに挿入することができる保管形状を有し、前記ブレードの保存長さを短くするために、前記保管形状における前記重なる部分が、前記展開形状におけるよりも増された長さを有する、器具。
【請求項３】
請求項２に記載の器具において、
前記ブレードの数が３であり、第一のブレードは、一端に前記ロッドが、他の端に第二のブレードが取り付けられ、展開しているときは、前記第二のブレードの一端は接続しないで前記第三のブレードに方に出ており、前記第三のブレードは一端に前記ロッドが取り付けられ、他の端は接続しないで前記第二のブレードの方に出ており、前記第二のブレードと前記第三のブレードはそれらの接続されていない端で重なっている、器具。
【請求項４】
請求項２に記載の器具において、
前記ブレードの数が３であり、第一のブレード及び第二のブレードはそれぞれそれらの一端で前記ロッドに取り付けられ、展開しているときは、自由端はほぼ他の方向に出ており、前記溝内にある第三のブレードは前記第一及び第二のブレードの間のギャップを橋渡しする、器具。
【請求項５】
請求項４に記載の器具において、
前記第三のブレードはその長さのほぼ真ん中で折られ、前記保管状態のとき及び前記展開状態のときは、前記ポーチ内の折れと前記ブレード内の折れとを配列する状態を介して、前記第三のブレードは前記第一のブレード及び第二のブレードを橋渡しする配置を維持する、器具。
【請求項６】
請求項５に記載の器具において、
前記ブレードはプラスチックであり、折れの位置で薄くなる、器具。
【請求項７】
請求項２に記載の器具において、
前記ポーチは、前記開口端の周囲近くにある縫合糸溝と、前記縫合糸溝にある縫合糸とを有し、前記縫合糸はスリップノットにより前記ポーチの開口端を締める輪を形成する、器具。
【請求項８】
請求項７に記載の器具において、
前記縫合糸は、前記ポーチから前記細長い外側チューブを通って延び、前記ロッドに当該ロッドの近位端で取り付けられ、前記ロッドが前記外側チューブの外へ筒式に動くと前記輪が締まる、器具。
【請求項９】
請求項８に記載の器具において、
前記ロッドが前記外側チューブの外へ筒式に動くと、前記複数のサポートブレードが前記ブレード溝から引き込まれる、器具。
【請求項１０】
請求項９に記載の器具において、
前記ロッドに働く動作制限部材をさらに含み、前記動作制限部材は、前記ロッドが前記外側チューブの外へ筒式に動くことは許容するが、反対方向に動くことは禁止する、器具。
【請求項１１】
請求項９に記載の器具において、
前記外側チューブと前記ロッドの間に同軸に配置される細長いプッシャチューブと、
前記プッシャチューブに取り付けられ、前記ロッドに作用する、第一の動作制限部材であって、前記ロッドが近位方向に前記プッシャチューブの外へ筒式に動くことは許容するが、遠位方向に前記ロッドが再度挿入禁止する、第一の動作制限部材と、
前記外側チューブに取り付けられ、前記プッシャチューブに作用する、第二の動作制限部材であって、前記プッシャチューブが前記外側チューブに挿入されることは許容するが、前記外側チューブへの挿入の後は前記プッシャチューブが筒式に外へ動くことは禁止する、第二の動作制限部材と、
をさらに有する器具。
【請求項１２】
請求項１１に記載の器具において、
前記外側チューブを掴む手段と、前記ロッドを掴む手段と、をさらに有する器具。
【請求項１３】
請求項１１に記載の器具において、
前記外側チューブに対する前記プッシャチューブの位置に基づき、前記ロッドを筒式に動かすことを許容及び禁止する手段をさらに含む、器具。
【請求項１４】
請求項１１に記載の器具において、
前記プッシャチューブの遠位端に取り付けられたキャップをさらに含み、
前記キャップは、前記サポートブレードを通す第一の穴と、前記縫合糸を通す第二の穴とを有し、前記第二の穴は前記スリップノットを通さない大きさであり、前記ロッドが前記プッシャチューブの外へ筒式に動く動きにより、前記縫合糸が前記第二の穴を通して引かれると、前記スリップノットは前記輪を締める、器具。
【請求項１５】
請求項１３に記載の器具において、
前記ロッドの前記プッシャチューブに対する回転を防ぐ手段と、前記プッシャチューブの前記外側チューブに対する回転を防ぐ手段と、前記ポーチの向きを視覚的に感知する手段と、前記ポーチの向きを触覚的に感知する手段とをさらに有する、器具。
【請求項１６】
請求項８に記載の器具において、
前記縫合糸が、リリースノットにより前記ロッドに取り付けられる、器具。
【請求項１７】
請求項２に記載の器具において、
保管形状において、前記ポーチが前記外側チューブ内で保管されるために堅固に渦巻きロールに巻かれる、器具。
【請求項１８】
請求項２に記載の器具において、
前記ブレードは、数が２であり、超弾性金属から製造される、器具。
【請求項１９】
外科用器具において、
各々が互いに望遠鏡の筒式に動くことが可能な３つの細長い同軸部材と、
外科用ポーチと、
前記同軸部材の第一の部材の遠位端に取り付けられる複数のポーチサポートブレードと、
を有し、
前記サポートブレードは前記外科用ポーチのブレード溝に収容され、前記ブレード溝は前記ポーチの開口端の周囲近くで少なくとも開口端を部分的に囲むように延在しており、前記ブレードは、前記複数のブレードの一つのブレードが次のブレードの一部と重なったほぼ輪である展開形状、及び、前記重なる部分が、前記輪を保管のために最大の圧縮長さまで広がることなく圧縮することができるように、拡大された保管形状を有し、
前記同軸部材の第二の部材が前記第一の同軸部材をその管内に収容し、前記第二の同軸部材は遠位端に穴のあるキャップを有し、前記穴は前記ブレードを前記キャップに通して延ばすが前記ポーチは通さず、前記保管及び展開状態では、前記ブレードと前記ポーチを、前記キャップの遠位で前記第二の同軸部材の外側に配置し、前記ブレードが引き込み状態にあるときは、前記ブレードを前記キャップを通して前記第二の同軸部材の管内に引き込むことができ、
前記保管状態のとき、第三の部材は前記第二の同軸部材と前記ポーチをその管内に収容し、前記ポーチは前記第三の部材から筒式に出て展開し展開状態をとる、
器具。
【請求項２０】
周囲サポートブレード溝を有する外科用ポーチを、細長い部材の端に支持する外科用ポーチサポート組立体において、
前記細長い部材の一端に取り付け可能な複数の可とう性湾曲ブレードを有し、前記ブレードはほぼ輪の展開形状を有し、前記ポーチサポート組立体は前記ブレードの間に少なくとも一つの切断を形成する機械的不連続部を有し、前記ポーチの完全性を損なうことなく前記輪を前記ブレード溝から引き込むことができ、前記ブレードは並んで、前記不連続部近くで重なり、前記リムにねじれ安定性を付与する、
外科用ポーチサポート組立体。
【請求項２１】
外科用器具において、
細長い外側チューブと、
前記外側チューブ内で望遠鏡の筒式に動くことが可能な細長い内側ロッドと、
前記内側ロッドの遠位端に、前記複数のブレードの一つが次のものの一部分と並んで重なって取り付けられる複数のポーチサポートブレードと、
前記ブレードに支持され、開口端と閉じ端とを有するポーチと、
を有し、
前記ブレードは前記ポーチ内のブレード溝に収容されており、前記ブレード溝は、前記開口端の周囲近くで、少なくとも開口端を部分的に囲むように延在しており、前記ブレードはほぼ輪である展開形状を有し、前記外側チューブは少なくとも一つの穴を備える閉じ端を有し、前記の少なくとも一つの穴は前記ブレードが通ることを許容し、前記ブレードは、展開して前記ポーチを支持するときは、前記の少なくとも一つの穴を通って前記外側チューブの外へ遠位方向に延び、前記の少なくとも一つの穴は、前記ブレードがスライド可能に通れるが、前記ポーチは通れない大きさであり、前記ブレードが引き込まれるとき、前記ポーチは前記外側チューブの閉じ端と当接し、前記ブレードは前記の少なくとも一つの穴を通って前記外側チューブ内へ前記ブレード溝からスリップする、
器具。
【請求項２２】
請求項１９に記載の器具において、
前記穴が前記キャップの半径中心からずれていて、前記ポーチが保管のために巻かれた形状にあるとき、前記ポーチの前記第三の同軸部材内への収容を容易にする、器具。
【請求項２３】
外科用器具において、
細長い外側チューブと、
前記外側チューブ内部を入れ子状に移動可能な内側ロッドと、
前記内側ロッドの遠位端に連結された複数のポーチサポートブレードと、
前記複数のサポートブレード上に支持された開口端および閉じ端を有するポーチと、
を有し、
前記複数のサポートブレードは、前記開口端の外縁部に近接し少なくともその一部分に沿って延在する前記ポーチ内のブレード溝内に収容されており、前記複数のブレードは一つのブレードが次のブレードの一部分に重なり合って輪に近い形状に配置されており、前記複数のブレードは、前記ブレードと前記ポーチが前記外側チューブに挿入できるようにするための保管形状を有し、前記ポーチは前記開口端の外延部周辺に配置された縫合糸溝と、前記縫合糸溝内に配置された縫合糸とを有し、前記縫合糸はスリップノットにより前記ポーチの前記開口端を引き締めるために、輪を形成し、前記縫合糸は、前記ポーチから前記細長い外側チューブを通って延在し、前記ロッドに当該ロッドの近位端において連結されており、前記輪は前記ロッドが前記外側チューブから望遠鏡の筒式に延出するときに締まり、前記複数のサポートブレードは、前記ロッドが前記外側チューブから望遠鏡の筒式に延出したときに前記ブレード溝から後退する、
器具であって、
前記外側チューブと前記ロッドの間に共軸に配置された細長いプッシャと、
前記外側チューブに連結され、前記プッシャチューブに作用する、動作制限部材であって、前記外側チューブの中への前記プッシャチューブの挿入は許容するが、前記外側チューブ内への挿入の後では、前記プッシャチューブが望遠鏡の筒式に延出するのを禁止する、動作制限部材と、をさらに有する、
器具。
【請求項２４】
請求項２３に記載の器具において、
前記外部ロッドを把捉するための手段と、前記ロッドを把捉するための手段とをさらに有する、器具。
【請求項２５】
請求項２３に記載の器具において、
前記外側チューブに対する前記プッシャチューブの位置に基づき、前記ロッドの望遠鏡の筒式の移動を許容および禁止する手段をさらに有する、器具。
【請求項２６】
請求項２３に記載の器具において、
前記プッシャチューブの遠位端に連結されたキャップを有し、前記キャップが、前記サポートブレードが通り抜けることのできる第一の穴と、前記縫合糸が通り抜けることができる第二の穴とを有し、前記第二の穴が、前記スリップノットが通り抜けない寸法になっていて、前記スリップノットは、前記ロッドが前記プッシャチューブから望遠鏡の筒式に延出する際の運動によって、前記第二の穴を通して前記縫合糸が引かれる際に輪を締めるようになっている、器具。
【請求項２７】
請求項２６に記載の器具において、
前記プッシャチューブに対する前記ロッドの回転を防ぐ手段と、前記外側チューブに対する前記プッシャチューブの回転を防ぐ手段と、前記ポーチの方位を視覚的に検知する手段と、前記ポーチの方位を触覚的に感知する手段と、をさらに含む、器具。
【手続補正２】
【補正対象書類名】明細書
【補正対象項目名】００３１
【補正方法】変更
【補正の内容】
【００３１】
好適な実施態様を以下に示す。
（Ａ）長形外側チューブと、
前記外側チューブ内で望遠鏡の筒式に動くことが可能な長形内側ロッドと、
前記内側ロッドの遠位端に取り付けられる複数のポーチサポートブレードと、
前記サポートブレードに支持され、開口端と閉じ端とを有するポーチとを有し、
前記サポートブレードは前記ポーチ内のブレード溝に収容され、前記ブレード溝は前記開口端の周囲近くで少なくとも開口端を部分的に囲むように延在しており、前記ブレードは、前記複数のブレードの１つのブレードが第二のブレードの一部と重なるほぼ輪である展開形状を有する外科用器具。
（１）前記ブレードが、前記ブレードの少なくとも１つが他のブレードの上に折られ、前記ブレードと前記ポーチを前記外側チューブに挿入する保管形状を有する実施態様（Ａ）に記載の器具。
（２）前記ブレードの数が３であり、第一のブレードは、一端に前記ロッドが、他の端に第二のブレードが取り付けられ、展開しているときは、前記第二のブレードの一端は接続しないで前記第三のブレードに方に出ており、前記第三のブレードは一端に前記ロッドが取り付けられ、他の端は接続しないで前記第二のブレードの方に出ており、前記第二のブレードと前記第三のブレードはそれらの自由端で重なっている実施態様（１）に記載の器具。
（３）前記ブレードの数が３であり、第一のブレード及び第二のブレードはそれぞれそれらの一端で前記ロッドに取り付けられ、展開しているときは、自由端はほぼ他の方向に出ており、前記溝内にある第三のブレードは前記第一及び第二のブレードの間のギャップを橋渡しする実施態様（１）に記載の器具。
（４）前記第三のブレードはその長さのほぼ真ん中で折られ、前記保管状態のときは、前記第三のブレードは前記第一のブレード及び第二のブレードを橋渡しする配置を維持し、前記展開状態のときは、前記ポーチ内の折れと前記ブレード内の折れを配列する実施態様（３）に記載の器具。
（５）前記ブレードはプラスチックであり、折れの位置で薄くなる実施態様（４）に記載の器具。
【手続補正３】
【補正対象書類名】明細書
【補正対象項目名】００３４
【補正方法】変更
【補正の内容】
【００３４】
（１６）保管形状で、前記ポーチが前記外側チューブ内で保管されるために堅固に渦巻きロールに巻かれる実施態様（１）に記載の器具。
（１７）前記ブレードの数が２であり、超弾性金属から製造される実施態様（１）に記載の器具。
（Ｂ）各々が互いに望遠鏡の筒式に動くことが可能な３つの長形同軸部材と、
外科用ポーチと、
前記同軸部材の第一の部材の遠位端に取り付けられる複数のポーチサポートブレードとを有し、
前記サポートブレードは前記外科用ポーチのブレード溝に収容され、前記ブレード溝は前記ポーチの開口端の周囲近くで少なくとも開口端を部分的に囲むように延在しており、前記ブレードは、前記複数のブレードの１つのブレードが第二のブレードの一部と重なるほぼ輪である展開形状及び、前記ブレードの少なくとも１つのブレードが他のブレードの上に折り畳まれ、前記輪を保管のために最大の圧縮長さまで広がることなく圧縮する保管形状を有し、
前記同軸部材の第二の部材が前記第一の同軸部材をその管内に収容し、前記第二の同軸部材は遠位端に穴のあるキャップを有し、前記穴は前記ブレードを前記キャップに通して延ばすが前記ポーチは通さず、前記保管及び展開状態では、前記ブレードと前記ポーチを、前記キャップの遠位で前記第二の同軸部材の外側に配置し、前記ブレードが引き込み状態にあるときは、前記ブレードを前記キャップを通して前記第二の同軸部材の管内に引き込み、
前記保管状態のとき、第三の部材は前記第二の同軸部材と前記ポーチをその管内に収容し、前記ポーチは前記第三の部材から筒式に出て展開し展開状態をとる外科用器具。
（Ｃ）周囲サポートブレード溝を有する外科用ポーチを、長形部材の端に支持する外科用ポーチサポート組立体であって、前記組立体は、
前記長形部材の一端に取り付け可能な複数の可とう性湾曲ブレードを有し、
前記ブレードはほぼ輪の展開形状を有し、前記ポーチサポート組立体は前記ブレードの間に少なくとも１つの機械的不連続部を有し、前記ポーチの完全性を損なうことなく前記輪を前記ブレード溝から引き込むことができ、前記ブレードは前記不連続部近くで重なり、前記リムにねじれ安定性を付与する外科用ポーチサポート組立体。
（Ｄ）長形外側チューブと、
前記外側チューブ内で望遠鏡の筒式に動くことが可能な長形内側ロッドと、
前記内側ロッドの遠位端に取り付けられる複数のポーチサポートブレードと、
前記サポートブレードに支持され、開口端と閉じ端とを有するポーチとを有し、
前記サポートブレードは前記ポーチ内のブレード溝に収容され、前記ブレード溝は前記開口端の周囲近くで少なくとも開口端を部分的に囲むように延在しており、前記ブレードはほぼ輪である展開形状を有し、前記外側チューブは一対の穴のある閉じ端を有し、前記各穴により前記サポートブレードはそこを通ることができ、展開して前記ポーチを支持するときは、前記ブレードは前記穴を通って前記外側チューブの外へ遠位方向に延びる外科用器具。
（１８）前記穴は、前記ブレードはスライド可能に通れるが、前記ポーチは通れない大きさであり、前記ブレードが引き込まれるとき、前記ポーチは前記外側チューブの閉じ端と接し、前記ブレードは前記穴を通って前記外側チューブ内へ前記ブレード溝からスリップする実施態様（Ｄ）に記載の器具。
（１９）前記穴が前記キャップの半径中心からずれていて、前記ポーチが保管のために巻かれた形状にあるとき、前記ポーチの前記第三の同軸部材内の収容を容易にする実施態様（Ｂ）に記載の器具。